(57)【特許請求の範囲】
【請求項１】
前部に鍵盤部と操作パネル部が実装された楽器本体と、前記前部を開閉し、前記鍵盤部及び前記操作パネル部をともに覆う状態と前記鍵盤部及び前記操作パネル部をともに開放する状態との間に、前記鍵盤部を開け放し前記操作パネル部を覆うという所定の状態をとる開閉蓋と、任意に設定された楽器音色の楽音を前記鍵盤部の演奏操作に応じて生成する音源を備えた電子鍵盤楽器において、
前記開閉蓋の開き状態を検出する蓋開き状態検出手段と、
該蓋開き状態検出手段により検出された蓋開き状態が、前記所定の状態であるときは、前記任意に設定された楽器音色に代えて特定の楽器音色を、前記音源が生成する楽音の楽器音色として設定する楽器音色設定手段、
を有することを特徴とする電子鍵盤楽器。
【請求項２】
前記蓋開き状態検出手段により検出された蓋開き状態が、前記所定の状態であるとき、前記楽器音色以外の少なくとも１つの設定項目について任意の設定データに代えて特定の設定データを設定する前記楽器音色以外の設定手段、
を有することを特徴とする請求項１に記載の電子鍵盤楽器。
【請求項３】
前記特定の楽器音色をユーザに応じて設定する特定楽器音色設定手段を有する、
ことを特徴とする請求項１又は２に記載の電子鍵盤楽器。
【請求項４】
前記蓋開き状態が前記所定の状態にあるとき、前記楽器本体に、前記開閉蓋を一時的に係止する係止手段を設けた、
ことを特徴とする請求項１から３までのいずれか１項に記載の電子鍵盤楽器。
【請求項５】
前記楽器本体は、前記鍵盤部と前記操作パネル部とを仕切る仕切り部が実装されたものであり、
前記仕切り部の前記鍵盤部側は、前記鍵盤部の各鍵に対応して複数の可視表示手段が設置された表示パネルであり、
前記可視表示手段により前記各鍵の押鍵案内をする押鍵案内手段と、
前記蓋開き状態検出手段により前記開閉蓋が前記所定の状態にあることが検出されているとき、前記押鍵案内表示手段の動作を無効とする押鍵案内表示無効化手段、
を有することを特徴とする請求項１から４までのいずれか１項に記載の電子鍵盤楽器。
【請求項６】
鍵盤部と複数操作子を備えた操作パネル部とを有した楽器本体と、
少なくとも前記操作パネル部を閉時に覆う開閉蓋であって、移動自在に配設した開閉蓋と、
任意の楽器音色を設定する楽器音色設定手段と、
該楽器音色設定手段により設定された楽器音色の楽音を前記鍵盤部の演奏操作に応じて生成する音源と、
を備えた電子鍵盤楽器であって、
前記楽器音色設定手段は、前記開閉蓋の移動し得る特定の位置によって特定の楽器音色を設定するとともに、前記複数操作子のうち１又は限られた複数の操作子の選択操作によっても任意の楽器音色に設定し得るように構成され、
前記開閉蓋は、前記操作パネル部を覆う位置を前記特定の位置として、前記開閉蓋が前記特定の位置に位置したとき前記特定の楽器音色に設定されるようにした、
ことを特徴とする電子鍵盤楽器。
【請求項７】
前記楽器音色設定手段は、前記開閉蓋が前記特定の位置から前記操作パネル部が露出した位置に移動し、前記特定の楽器音色のまま前記露出した位置に移動した状態で、前記１又は限られた複数の操作子による設定変更操作があったときは、設定変更された楽器音色に設定され、かつ、前記操作パネル部が露出した位置から前記特定の位置に移動したときは、前記設定変更操作があった場合でも、前記設定変更された楽器音色をリセットし、前記特定の楽器音色に再設定することを特徴とする、
請求項６に記載の電子鍵盤楽器。
【発明の詳細な説明】
【技術分野】
【０００１】
本発明は、楽器本体の前部に開閉蓋を有する電子鍵盤楽器において、特定の楽器音色で鍵盤演奏をすることができる電子鍵盤楽器に関するものである。
特定の楽器音色を、鍵盤楽器の標準楽器音色とすれば、ピアニスト等の自然楽器系の奏者が弾く場合に適したものとなる。
【背景技術】
【０００２】
鍵盤楽器には、自然楽器（アコースティック）系と電子音源系がある。いずれも鍵盤を弾く楽器であるが、鍵盤奏者は、ピアニストと電子鍵盤楽器奏者とに専門分化していた。
しかし、最近の電子鍵盤楽器にはピアノアクション機構が導入されているため、ピアノに近い鍵タッチが得られるようになった。従って、ピアニストが電子鍵盤楽器を弾いても演奏上の違和感が少なくなった。
また、鍵盤楽器を習わせようとする親は、将来、子供がピアニストと電子鍵盤楽器奏者とのいずれをも選択できるように、演奏が簡単な電子鍵盤楽器を子供に選択させる場合が多くなっている。
【０００３】
ところが、電子鍵盤楽器では設定操作子によって楽器音色が任意に設定される。従って、ピアニストや親はピアノのつもりで演奏を始めようとしたとき、ピアノ以外の音色に設定されていた場合に、どのような操作でピアノ音色にすればよいのかわからない。楽器音色に限らず、音量等の各種の設定も自由に行えない。また、電子鍵盤楽器は、自然鍵盤楽器の外観と異なり、操作パネル部に多数の設定操作子類が配置されているため、ピアニストや親に不安を抱かせる。
そのため、ピアニストが舞台で演奏する際には、舞台にピアノを運び込まなければならないし、家庭では、親が電子鍵盤楽器を演奏できない。
このような、種々の事情から、電子鍵盤楽器において、操作パネル上に配設された多数の設定操作子類を操作しなくても、アコースティック系の鍵盤楽器と変わらない演奏ができるようにしたいという要求がある。
また、ユーザによっては、自然鍵盤楽器の標準楽器音色以外の、いつも決まった任意の楽器音色で演奏をしたい場合が想定される。この場合、操作パネル上に配設された多数の設定操作子類を操作する必要がないし見る必要もない。
【０００４】
そこで、電子鍵盤楽器において、電源を投入したときには、自然鍵盤楽器の音色（ピアノ音色）等に初期設定しておくことが考えられる。しかし、電源投入時は、前回の演奏に使用した楽器音色指定データがバックアップされていて、これが読み出されたり、工場出荷時に設定されていた楽器音色指定データが読み出されたりする。従って、いつでも自然鍵盤楽器の音色等が指定されるとは限らない。
従来の電子鍵盤楽器において、電子楽器本体の前部分を覆う鍵盤蓋を持つものがある（特許文献１参照）。そこで、鍵盤蓋を開ける操作に関連して、自然鍵盤楽器の音色に設定することが考えられる。
【０００５】
一方、アコースティックピアノを模倣した形状の電子楽器において、上蓋の開閉状態に応じて、楽音発生回路に供給する音色パラメータを変更するものが知られている（特許文献２参照）。しかし、アコースティックピアノの上蓋を開けたときの音響特性と閉めたときの音響特性を模倣するものであって、蓋の開閉によって、楽器音色を設定するものではない。
また、電子楽器の鍵盤中央部に、この中央部のみを部分的に覆うことが可能な鍵盤蓋を配設し、この中央部を覆ったときは、鍵盤演奏領域を左右鍵盤に分割したことになり、左右鍵盤の音色を変更できるものが知られている（特許文献３参照）。しかし、鍵盤の全体を覆う蓋の開閉によって電子楽器自体の楽器音色を設定するものではない。
【特許文献１】実公平７−４９５１１号公報
【特許文献２】特開平１０−９１１５４号公報
【特許文献３】実公平７−２０７１５号公報
【発明の開示】
【発明が解決しようとする課題】
【０００６】
本発明は、上述した問題点を解決するためになされたものであって、楽器本体の前部を覆う開閉蓋の開き状態によって、自然鍵盤楽器の標準楽器音色等、特定の楽器音色を設定できる電子鍵盤楽器を提供することを目的とするものである。
【課題を解決するための手段】
【０００７】
本発明は、請求項１に記載の発明においては、前部に鍵盤部と操作パネル部が実装された楽器本体と、前記前部を開閉し、前記鍵盤部及び前記操作パネル部をともに覆う状態と前記鍵盤部及び前記操作パネル部をともに開放する状態との間に、前記鍵盤部を開け放し前記操作パネル部を覆うという所定の状態をとる開閉蓋と、任意に設定された楽器音色の楽音を前記鍵盤部の演奏操作に応じて生成する音源を備えた電子鍵盤楽器において、前記開閉蓋の開き状態を検出する蓋開き状態検出手段と、該蓋開き状態検出手段により検出された蓋開き状態が、前記所定の状態であるときは、前記任意に設定された楽器音色に代えて特定の楽器音色を、前記音源が生成する楽音の楽器音色として設定する楽器音色設定手段を有するものである。
従って、ユーザは、開閉蓋を意図的に操作するだけで、その開き具合により、特定の楽器音色で鍵盤演奏をすることができるようになる。
ここで、特定の楽器音色を自然鍵盤楽器の標準音色にすれば、鍵盤楽器として違和感のない演奏をすることができる。
上述した所定の状態においては、電子楽器特有の多数の操作子や表示画面等が配置された操作パネル部が開閉蓋により覆われているので、自然鍵盤楽器の外観を呈する。その結果、自然鍵盤楽器の演奏に習熟しているが、電子楽器の演奏に習熟していない演奏者であっても、安心して、かつ、余分な設定操作を要することなく、特定の楽器音色の演奏をすることができる。
【０００８】
請求項２に記載の発明においては、請求項１に記載の電子鍵盤楽器において、前記蓋開き状態検出手段により検出された蓋開き状態が、前記所定の状態であるとき、前記楽器音色以外の少なくとも１つの設定項目について任意の設定データに代えて特定の設定データを設定する前記楽器音色以外の設定手段を有するものである。
従って、ユーザは、開閉蓋を意図的に操作するだけで、その開き具合により、楽器音色以外の少なくとも１つの設定項目についても特定の設定データを設定できるようになる。例えば、設定項目が音量データであれば、特定の値の音量データを設定する。
ここで、特定の設定データを、自然鍵盤楽器の演奏を表現するための設定データとすれば、さらに、鍵盤楽器として違和感のない演奏をすることができる。
【０００９】
請求項３に記載の発明においては、請求項１又は２に記載の電子鍵盤楽器において、前記特定の楽器音色をユーザに応じて設定する特定楽器音色設定手段を有するものである。
従って、特定の楽器音色は固定的なものではなく、ユーザの好みに応じて設定することができる。
特定の楽器音色の設定は、具体的には、例えば、演奏前あるいは演奏中における必要な時に、ユーザの操作により設定することができる。
例えば、特定の楽器音色を設定する特定の楽器音色指定操作子を有し、上述した特定の楽器音色設定手段は、この設定操作子の操作に応じて、特定の楽器音色を設定する。
【００１０】
より具体的には、上述した特定の楽器音色指定操作子は、開閉蓋が上述した所定の状態にあるときに開放されている部分に設ける。その結果、特定の楽器音色で演奏することに関連した設定操作子であることが、ユーザにわかりやすく、かつ、操作パネル部上の任意の楽器音色指定操作子に比べて、この特定楽器音色指定操作子を操作するだけでよいから操作が簡単である。特定の楽器音色で演奏しているときにも、ユーザの操作により特定の楽器音色を設定変更することもできる。
あるいは、上述した特定の楽器音色設定は、ユーザ登録が可能な電子鍵盤楽器においては、ユーザ登録時（登録更新時を含む）に、予め特定の楽器音色を登録設定しておき、かつ、登録設定されていた特定の楽器音色を楽器音色として設定してもよい。
ユーザ登録時の特定の楽器音色についても、予め特定の楽器音色として決められた標準音色群の中から選択されて登録してもよいし、全ての楽器音色の中から任意に選択されて登録してもよい。
【００１１】
請求項４に記載の発明においては、請求項１から３までのいずれか１項に記載の電子鍵盤楽器において、前記蓋開き状態が前記所定の状態にあるとき、前記楽器本体に、前記開閉蓋を一時的に係止する係止手段を設けたものである。
従って、上述した特定の楽器音色で演奏する際に、鍵盤部を含んだ楽器本体前部の一部分を開け放した所定の状態を一時的に固定し、開閉蓋により開放する部分と覆う部分との境目を明確に規定することができる。その結果、操作パネル部など、自然鍵盤楽器としての外観を呈しないものを正確に隠すことができる。
また、開閉蓋の位置が移動したり、さらに、特定の楽器音色演奏から、異なる楽器音色の演奏に切り換わってしまったりしないようにできる。
【００１２】
上述した係止手段を設置する位置は、上述した蓋開き状態検出手段を設置する位置と、同一位置であってもよいが、異なる位置であってもよい。しかし、異なる位置の場合には、係止位置と検出位置との間にずれが生じるおそれがある。そのため、相互の位置ずれをなくすための調整構造を、例えば、蓋の係止手段に設ければよい。
上述した係止手段は、板バネにより実現することができ、上述した調整は、この板バネの取り付け位置を調整することにより実現することができる。
【００１４】
請求項５に記載の発明においては、請求項１から４までのいずれか１項に記載の電子鍵盤楽器において、前記楽器本体は、前記鍵盤部と前記操作パネル部とを仕切る仕切り部が実装されたものであり、前記仕切り部の前記鍵盤部側は、前記鍵盤部の各鍵に対応して複数の可視表示手段が設置された表示パネルであり、前記可視表示手段により前記各鍵の押鍵案内をする押鍵案内手段と、前記蓋開き状態検出手段により前記開閉蓋が前記所定の状態にあることが検出されているとき、前記押鍵案内表示手段の動作を無効とする押鍵案内表示無効化手段を有するものである。
従って、押鍵案内機能用の表示パネルは、仕切り部という、見やすい位置に配置できる。かつ、上述した所定の状態における演奏では、押鍵案内用の可視表示がされないので、自然鍵盤楽器の外観を損なったり、自然鍵盤楽器に習熟した演奏者のプライドを損なったりしない。開閉蓋を全開状態にして従来の電子鍵盤楽器として使用する場合においては、押鍵案内表示が可能となる。
【００１５】
請求項６に記載の発明においては、鍵盤部と複数操作子を備えた操作パネル部とを有した楽器本体と、少なくとも前記操作パネル部を閉時に覆う開閉蓋であって、移動自在に配設した開閉蓋と、任意の楽器音色を設定する楽器音色設定手段と、該楽器音色設定手段により設定された楽器音色の楽音を前記鍵盤部の演奏操作に応じて生成する音源と、を備えた電子鍵盤楽器であって、前記楽器音色設定手段は、前記開閉蓋の移動し得る特定の位置によって特定の楽器音色を設定するとともに、前記複数操作子のうち１又は限られた複数の操作子の選択操作によっても任意の楽器音色に設定し得るように構成され、前記開閉蓋は、前記操作パネル部を覆う位置を前記特定の位置として、前記開閉蓋が前記特定の位置に位置したとき前記特定の楽器音色に設定されるようにしたものである。
従って、ユーザは、開閉蓋を意図的に操作するだけで、その開き具合により、特定の楽器音色で鍵盤演奏をすることができるようになる。上述した所定の状態においては、電子楽器特有の操作パネル部が開閉蓋により覆われているので、自然鍵盤楽器の外観を呈する。その結果、自然鍵盤楽器の演奏に習熟しているが、電子楽器の演奏に習熟していない演奏者であっても、安心して、かつ、余分な設定操作を要することなく、特定の楽器音色の演奏ができる。特定の楽器音色を自然鍵盤楽器の標準音色にすれば、鍵盤楽器として違和感のない演奏ができる。
ここで、１又は限られた複数の操作子とは、個別に楽器音色を指定する楽器音色指定スイッチ（操作子）、又は、複数桁の楽器音色番号を指定するテンキースイッチのような複数の操作子のことである。
開閉蓋の開き具合として、閉位置、中間位置、全開位置という３状態を規定したり、閉位置、全開位置という２状態を規定してもよい。
【００１６】
請求項７に記載の発明においては、請求項６に記載の電子鍵盤楽器において、前記楽器音色設定手段は、前記開閉蓋が前記特定の位置から前記操作パネル部が露出した位置に移動し、前記特定の楽器音色のまま前記露出した位置に移動した状態で、前記１又は限られた複数の操作子による設定変更操作があったときは、設定変更された楽器音色に設定され、かつ、前記操作パネル部が露出した位置から前記特定の位置に移動したときは、前記設定変更操作があった場合でも、前記設定変更された楽器音色をリセットし、前記特定の楽器音色に再設定するものである。
従って、開閉蓋を開いて操作パネル部を露出させ、１又は限られた複数の操作子により楽器音色を設定変更操作をした場合でも、再び、操作パネル部を覆うだけで、簡単に特定の楽器音色に再設定できる。
【発明の効果】
【００１７】
本発明によれば、電源投入操作をしたときなどにおいて、楽器本体の前部を覆う開閉蓋の開け具合を意識的に行うだけで、自然鍵盤楽器音色等に設定された特定の楽器音色が自動的に選択されるという効果がある。
特定の楽器音色をユーザが好む特定の楽器音色に設定しておけば、いつでも簡単に好みの楽器音色で演奏することができる。特に、この特定の楽器音色が自然鍵盤楽器として標準の楽器音色であれば、自然鍵盤楽器系の演奏者は、不安や不満なく電子楽器の鍵盤演奏に専念できる。また、操作パネル部が露出しない自然鍵盤楽器と同様な外観を呈する状態で鍵盤演奏することができる。
開閉蓋の開け具合によって、従来の電子鍵盤楽器と全く同様の設定にすることもできるから、電源断時にバックアップされた任意の楽器音色を選択できるなど、従来の電子鍵盤楽器の有する機能を損なわない。
【発明を実施するための最良の形態】
【００１８】
図１は、本発明の実施の一形態である電子鍵盤楽器の機能構成を説明するブロック図である。この電子鍵盤楽器は、例えば、後述する図２においては、前部Ｆに鍵盤部（鍵盤ユニット２０）と操作パネル部２１が実装された楽器本体１１と、この前部Ｆを開閉する開閉蓋（鍵盤蓋１６）を備えた構造を備える。
任意楽器音色指定部１は、従来と同様に、楽器音色指定操作子の操作により、任意の楽器音色を指定し、楽器音色設定部３は、指定された楽器音色をこの電子鍵盤楽器の楽器音色として設定する。音源部６は、この楽器音色設定部３に設定されている楽器音色の楽音を鍵盤部の演奏操作に応じて生成する。
【００１９】
特定楽器音色指定部４は、特定楽器音色指定操作子の操作を検出する。
特定楽器音色設定部２は、この特定楽器音色指定操作子４の操作に応じて、特定の楽器音色指定データを設定する。例えば、第１，第２の特定楽器音色指定データの中からユーザに応じて１つを選択し、選択したものを特定の楽器音色指定データとして設定して記憶しておく。
特定楽器音色設定部２としては、図示のように、予め特定の楽器音色の候補として決められている複数の楽器音色（特定楽器音色群）の中から選択されたものを設定してもよいし、電子鍵盤楽器の音源に設定できる楽器音色の中から任意に選択されたものを設定してもよい。
【００２０】
特定の楽器音色の設定は、具体的には、必要時に、例えば、演奏前あるいは演奏中のユーザの操作により設定することができる。
また、ユーザ登録が可能な電子鍵盤楽器においては、特定楽器音色指定部４は、ユーザ登録時に特定の楽器音色を設定する特定楽器音色指定操作子の操作を検出する手段であってもよい。特定楽器音色設定部２は、この特定楽器音色指定操作子の操作に応じて、ユーザ登録時（登録更新時を含む）に、又は、その後に、この特定の楽器音色指定データが必要となるときに、これを設定する。
【００２１】
ここで、楽器音色とは、それが自然楽器の音色であろうと電子合成された音色であろうと、特定の楽器を想起させるような音色を意味する。
第１，第２の特定楽器音色として、例えば、自然（アコースティック）鍵盤楽器にとって標準の楽器音色といえる標準楽器音色の候補が固定的に用意されている。具体的には、グランドピアノ、ハープシコード（以下、チェンバロという）の２音色が用意されている。第３の特定の楽器音色として、オルガン（リードオルガン又はパイプオルガン）の音色を用意してもよい。しかし、パイプオルガンの場合は、音色が可変であるので、その中から少なくとも１つの音色を特定して設定することになる。
上述したように、特定の楽器音色としては、一般に、自然鍵盤楽器の標準楽器音色にするのがよい。しかし、ユーザが、自然鍵盤楽器の標準楽器音色以外の、いつも決まった任意の楽器音色で演奏をする場合も想定されるから、いつも決まった任意の楽器音色を特定の楽器音色として選択できるようにするとよい。
【００２２】
蓋開き状態検出部５は、上述した開閉蓋の蓋開き状態を検出するものである。開閉蓋が、鍵盤部を含む前部（図２の前部Ｆ）の一部分を開け放す（言い換えれば、前部の一部分を露出させる）とともに、操作パネル部（図２の２１）を覆うという「所定の状態」であるか否かを検出する。この「所定の状態」は、自然鍵盤楽器の外観を呈する状態である。
なお、楽器本体の前部の全体、すなわち、鍵盤部及び操作パネル部をともに開放する（露出させた）状態も検出するようにしてもよい。この状態は、完全に電子楽器の外観を呈する状態である。
【００２３】
楽器音色設定部３は、蓋開き状態検出部５が、上述した「所定の状態」を検出したときは、上述した特定楽器音色設定部２により設定されている特定楽器音色指定データを選択する。一方、その他の状態（例えば、上述した鍵盤部及び操作パネル部をともに開放する状態）を検出したときは、任意楽器音色指定部１により指定された任意楽器音色指定データを、この電子鍵盤楽器の楽器音色として設定し、音源６が生成する楽音の楽器音色とする。
ここで、電源起動時の初期設定時において、楽器音色設定部３は、任意楽器音色指定データが設定される。この任意楽器音色指定データは、例えば、バックアップがオンに設定されていたときは、前回の電源オン中に設定され、電子鍵盤楽器の電源オフ状態でも保持されていた任意の楽器音色になり、バックアップがオフに設定されていたときは、工場出荷時に設定された楽器音色になる。この任意楽器音色は、電源オン中においては、ユーザの音色指定操作により任意に変更される。
なお、特定の楽器音色を１つに固定しておく（例えば、グランドピアノ）場合は、上述した特定楽器音色設定部２及び特定楽器音色指定部４は不要である。
【００２４】
上述した説明では、電子鍵盤楽器に設定する項目として、楽器音色にのみ着目して説明した。
しかし、楽器音色の設定に伴い、楽器音色の設定に連動して、リバーブの種類、深さ、エフェクトの種類及びその深さなどを設定してもよい。また、楽器音色以外にも、電子鍵盤楽器に設定する多種類の設定データがある。例えば、デュアル演奏機能の設定データ、鍵盤スプリット演奏機能の設定データ、鍵タッチレスポンス機能の設定データ、出力音量設定データ、基準ピッチを決める設定データ、音律を決める設定データ、ペダル機能の設定データ等である。
従って、蓋開き状態検出部５により検出された蓋開き状態が所定の状態であるとき、楽器音色以外の少なくとも１つの設定項目について、この設定項目の設定手段は、各設定項目の指定手段により指定される任意の指定データに代えて特定の指定データを、この電子鍵盤楽器の設定データとしてもよい。
特定の指定データとして、例えば、自然鍵盤楽器として標準の指定データとすることにより、自然鍵盤楽器の演奏を表現することができる。
【００２５】
楽器音色以外の少なくとも１つの設定項目の設定手段についても、特定の指定データを、予め特定の指定データの候補として決められている複数の指定データ（特定指定データ群）の中から選択されたものを設定してもよいし、音源等に設定できる全ての指定データの中から任意に選択されたものを設定してもよい。
なお、特定の指定データを１つに固定しておく場合は、上述した特定楽器音色設定部２及び特定楽器音色指定部４に相当するものは不要である。
【００２６】
図２は、本発明の実施の一形態の構造を説明するための右側断面図である。特許文献１に記載の電子鍵盤楽器を前提に改良を加えたものである。
楽器本体１１の上部は、下方の床面まで伸びている左右一対の側板１２（楽器本体の下部）の間に、底板（棚板）１３、背面板１４、上面板１５、鍵盤蓋１６、及び、口棒１７に囲まれた箱形に形成されている。
その箱の内部前方には、鍵盤フレーム１８上に、多数の白鍵１９ａ，黒鍵１９ｂの鍵盤列が配設された鍵盤ユニット２０が載置されている。
【００２７】
操作パネル部２１は、鍵盤ユニット２０の後端部上面を覆い、各種設定用の押しボタンスイッチ、回転ボリューム、液晶表示器等の電気部品２２、スペーサ２３及び仕切り部２４が取り付けられている。２５はプリント基板である。
上述した各種設定用の押しボタンスイッチのうち、楽器音色指定スイッチ（操作子）２２１は、鍵盤部側に近い方に設けられている。この楽器音色指定スイッチ２２１は、鍵並び方向に２２１−１，２２１−２，２２１−３，・・・のように、複数個設けられており、例えば、マリンバ，ブラス，ギター等が選択可能となっている。この楽器音色指定スイッチ２２１の中には、特定楽器音色指定操作子としての、グランドピアノ，チェンバロ等の楽器音色を設定するものも含まれる。
左右一対の山板２６の内側面には、取付部材２２２が止めねじ２７によって固定される。操作パネル部２１は、この取付部材２２２にその両端がネジ２２３で固着されて配設される。
山板２６の前半部上面２６ａは、鍵盤蓋１６の開蓋時，閉蓋時において鍵盤蓋１６の側端部を支持し、スライドさせるスライドガイドとして機能している。
【００２８】
鍵盤蓋１６の前部には、把持部２９を有した鍵盤蓋垂下片２８が取り付けられ、その後部には、補助金具３０が取り付けられている。この補助金具３０のブラケット３１には、電子鍵盤楽器の左右にわたって回転軸３２が軸支され、この回転軸３２の軸端近傍には、それぞれピニオン３３がはめ込まれている。
一方、左右一対の山板２６の後半部上側面には、上述したピニオン３３とかみ合うラック３４が設けられるとともに、ラック３４の上方外側に、それぞれガイド溝３５が設けられている。両ガイド溝３５に回転軸３２の両軸が摺動自在にはめ込まれている。
ラック３４及びガイド溝３５は、鍵盤蓋１６が開閉移動し得る全範囲にわたって設けられる。
【００２９】
上述したブラケット３１、回転軸３２、ピニオン３３、ラック３４、ガイド溝３５は、従来の装置と同様であって、鍵盤蓋１６の蓋開閉装置３６を構成する。
ピニオン３３がラック３４上を前方に移動し、回転軸３２がガイド溝３５の前方端部に当接したとき、鍵盤蓋１６は、口棒１７まで移動していて、鍵盤ユニット２０を覆う。
この状態から、把持部２９を持ち上げて鍵盤蓋垂下片２８を山板２６の前半部上面２６ａに載置し、鍵盤蓋１６を後方に摺動させ、回転軸３２がガイド溝３５の後方端部に当接したとき、鍵盤蓋１６は、楽器本体１１の後方部に収容される。その結果、鍵盤ユニット２０の白鍵１９ａ，黒鍵１９ｂの鍵盤面、仕切り部２４、及び、操作パネル部２１を開放露出させる。
なお、３７は図４を参照して後述する係止機構が設置される位置を示す。
【００３０】
図３は、図２に示した構造を部分的に拡大した右側断面図である。
図中、図２と同様な部分には同じ符号を付している。
従来の装置では、鍵盤蓋１６が、図中、第２の状態として示すような、鍵盤蓋１６を完全収納し、楽器本体１１の前部全体を開放した状態で演奏をすることが想定されていた。
これに対し、本願発明の実施の形態においては、図中、第１の状態として示すような、鍵盤蓋１６が、鍵盤ユニット２０を含む前部の一部分のみを開け放し、操作パネル部２１を覆う、所定の状態（蓋中間位置）においても演奏し得るようにした。このとき、仕切り部２４は、鍵盤蓋垂下片２８とともに、鍵盤ユニット部２０側と、操作パネル部２１側とを仕切る。
【００３１】
この第１の状態においては、例えば、自然鍵盤楽器と変わらない演奏ができるようにした。
すなわち、図１に示した特定楽器音色指定部５により設定されている特定の楽器音色が選択されるようにした。具体例では、自然鍵盤楽器の音色が選択されるようにした。蓋開き状態検出部５は、蓋開き状態を検出することにより、鍵盤蓋１６が、上述した第１の状態にあるか、第２の状態にあるかを検出する。
鍵盤蓋１６が第１の状態にあることを、例えば、鍵盤蓋１６の任意の部分又はこれと一体の鍵盤蓋垂下片２８の任意の部分が、楽器本体の所定位置に配置されたマイクロスイッチのアクチュエータを押したり、透過型又は反射型のフォトセンサの光路を遮断したことを検出する。
フォトセンサを、例えば、仕切り部２４の上側面に設けて、鍵盤蓋垂下片２８を検出すれば、この所定の状態を正確に検出することができる。また、後述する図４の板バネの移動に連動してスイッチングするセンサを設けて、前記第１の状態を検出するようにしてもよい。
上述した、第１の状態及び第２の状態が、第1の使用状態及び第２の使用状態における鍵盤蓋１６の開き状態である。これ以外の開き状態において、特定の楽器音色、任意の楽器音色のどちらを指定するか、又は、演奏できないようにするかは任意である。
【００３２】
図１に示した特定楽器音色指定部４が、特定楽器音色指定操作子により特定の楽器音色を指定する場合、この特定楽器音色指定操作子は、鍵盤蓋１６が第１の状態にあるときに露出している部分に設ければよい。
より具体的には、鍵盤ユニット２０において、鍵の見え懸かり部（白鍵１９ａ、黒鍵１９ｂの、仕切り部２４に隠されていない部分）に併設された部位（例えば：拍子木）上に設ければよい。
【００３３】
この特定楽器音色指定操作子は、電子鍵盤楽器の底板や棚板の下裏側面に設けてもよい。遠隔操作用制御機器（リモコン端末）を用いたり、通信ネットワークを介して外部機器を用いたりして、電子鍵盤楽器に特定の楽器音色を設定してもよい。
図１に示した特定楽器音色指定部４は、操作パネル部２１上の複数個の楽器音色指定スイッチ２２１（２２１−１，２２１−２，２２１−３，・・・）のうち、任意の設定操作子の選択操作によって、対応する楽器音色を指定したり、又は、テンキースイッチのような限られた複数の設定操作子の組み合わせ選択操作によっても任意の楽器音色を指定して設定し得るようにしたりしてもよい。
【００３４】
操作パネル部２１は、電気部品２２のボタンなどが配置された領域の後方から上方に、電気部品２２と同じ高さか又は高い位置に立上る突出部２１ａを有することから、鍵盤蓋１６が後部に収容されたとき、鍵盤蓋垂下片２８と操作パネル部２１との隙間が小さくなる。
また、操作パネル部２１の前方に、上述した電気部品２２と同じ高さか又は高い位置に立上る仕切り部２４を設けていることから、上述した第２の状態にあるとき、鍵盤蓋垂下片２８と仕切り部２４との隙間が小さくなる。
この仕切り部２４は、鍵盤ユニット部２０側と、操作パネル部２１側とを仕切るものであるから、意匠的なアクセントになっている。
また、この仕切り部２４の下方部底面が非押鍵状態の白鍵１９ａの上面に近接し、下方部前面が非押鍵状態の黒鍵１９ｂの後端面に近接している。
【００３５】
さらにまた、この仕切り部２４は、鍵盤ユニット部２０の各白鍵１９ａ，黒鍵１９ｂに対応して複数の可視表示手段、例えば、発光ダイオード（LED）４１が設けられた押鍵案内表示パネルを兼用してもよい。
すなわち、電子鍵盤楽器の制御部に、発光ダイオード４１の点灯、消灯により、各鍵の押鍵案内をする押鍵案内機能と、図１に示した蓋開き状態検出部５により、鍵盤蓋１６が第２の状態にあることが検出されているときは、上述した押鍵案内表示機能の実行指示を有効とし、鍵盤蓋１６が第１の状態にあることが検出されているときは、押鍵案内表示手機能の実行指示があったとしてもこれを無効とする押鍵案内表示機能無効化機能を持たせればよい。
【００３６】
より具体的な構造としては、個々の発光ダイオード４１が、仕切り部２４の裏面からそれぞれの凹部２４ａに挿入設置される。この仕切り部２４は、半透明の光透過材料で形成し、消灯状態では発光ダイオード４１自体を見えにくくし、点灯状態では、発光ダイオード４１の光が見えるようにする。このようにすれば、第１の状態にあるときに、複数の発光ダイオード（LED）４１が見えてしまうことにより、外観上、電子鍵盤楽器の様相を見せてしまうことを防止できる。
【００３７】
なお、発光ダイオード４１はプリント基板２５ｂ上で配線され、操作パネル部側のプリント基板２５ａとは、ジャンパ線等により接続される。プリント基板２５ａ，２５ｂは一体形成され、ジャンパ線部分の基板を除去して分割し、ジャンパ線を根本部で折り曲げている。
上述した発光ダイオード４１を用いた可視表示に代えて、可視表示手段、例えば、液晶表示パネルなどを押鍵案内表示パネルを用いてもよい。
【００３８】
上述した鍵盤蓋１６の第１の状態は、鍵盤蓋１６が半開の中間位置であるから、従来の蓋開閉構造のままでは、前後に簡単に移動してしまう。そのため、第１の状態を安定に保って鍵盤演奏をすることができない。そのため、鍵盤蓋１６の係止機構Ｋを設ける。
図４は、図２に示した位置３７に設けた係止機構Ｋを説明する部分構造図である。
図中、図２，図３と同様な部分には同じ符号を用いている。
５１ａ，５１ｂは左側山板２６の外側面の前後に設けた窪み段差部であり、窪み段差部５１ａ，５１ｂの間は、ガイド溝３５の奥壁部分が切り欠かれている。
この窪み段差部５１ａ，５１ｂにまたがって、曲げ加工された帯状の板バネ５２が、その一端５２ａを取付けねじ５３により窪み段差部５１ａに固定され、その他端５２ｂを弾性力により窪み段差部５１ｂに付勢されている。
板バネ５２の中間は、楽器本体左右外側方向に突出させた係止用の凹部５２ｃとなっており、中間安定位置を形成する。
【００３９】
凹部５２ｃの前方側及び後方側の山部は、楽器本体左右中心方向に突出させた山部である。上述した鍵盤蓋の係止機構Ｋは、左右一対に設けられてもよいし、いずれか一つでもよい。
鍵盤蓋１６を蓋閉状態から蓋開方向に押して、第１の状態になるとき、軸端３２ａが、前方側の山部を乗り越えて凹部５２ｃに嵌合するようにする。
軸端３２ａは、凹部５２ｃにはまりこんで係止され、前後の移動が阻止される。凹部５２ｃはなめらかな傾斜をしているので、演奏者が、鍵盤蓋１６に余分に力を加えれば、再び、移動が可能となる。
鍵盤蓋１６を第１の状態から、さらに後方に押し込めば、軸端３２ａは後方側の山部を乗り越え、ガイド溝３５の終端に当接するようになる。このとき、鍵盤蓋１６は、第２の状態となり、全開となる。
蓋を閉じる方向に戻すときも、軸端３２ａが、後方の山部を乗り越えて凹部５２ｃに嵌合する。
【００４０】
鍵盤蓋１６が、第１の状態になるときと、軸端３２ａが凹部５２ｃにはまりこむ位置とを正確に一致させる必要がある。そのため、板バネ５２の固定位置が前後方向に調整できるように、ビス５３は調整用の長孔と板バネ５２に設けた穴を介して図示しないナットにねじ込み、板バネ５２を固定している。
なお、５４はねじ孔であり、左側山板２６を図２の左側側板１２に固定するためのタッピングねじ用のものである。
【００４１】
図５は、図１に示した本発明の実施の一形態の機能を実現するためのハードウエア構成例を示すブロック図である。
図中、６１はバス、６２はCPUである。６３はRAMであり、CPU６２を動作させるためのワークエリアが設けられている。そのワークエリアの一部を、音源部７０，DSP７１を含む電子鍵盤楽器に対する現在の設定データを記憶するカレントバッファにしている。
【００４２】
６４はROMであって、CPU６２を動作させる制御プログラム、工場出荷時の初期設定データ、及び、音源設定パラメータ等が記憶されている。
ROM６４に記憶されているデータは電源スイッチがオフにされても消去されない。その少なくとも一部を、フラッシュROMなどの、不揮発性で再書き込み可能なメモリとすれば、図１を参照して説明した、第１，第２の特定楽器音色指定データ、任意楽器音色指定データを含む任意の設定データを、電源オフ時にバックアップ保存する記憶部とすることができる。なお、バックアップは、バックアップ電源等から電源が供給されているメモリを用いて行ってもよい。
【００４３】
６５は図１の蓋開き状態検出部５に用いる蓋開き状態検出スイッチ部であり、非接触検出センサにした場合も含む。６６は操作子であって、図２に示した白鍵１９ａ，黒鍵１９ｂの鍵スイッチ、特定楽器音色指定スイッチ、操作パネル部２１上に配置された多数の設定操作子（電気部品２２の一部）である。
設定操作子を操作することにより、カレントバッファの設定データを書き換える。書き換え後のカレントバッファの内容は、その設定データのバックアップがオンに設定されているときは、電源オフ時にもバックアップされるメモリにセーブされる。
６７は蓋開閉位置検出スイッチ部６５及び操作子６６の操作を検出する検出回路である。６８は表示回路である。６９は表示部であって、操作パネル部２１に配置された液晶表示器、押鍵案内用の発光ダイオード４１等の表示器である。
【００４４】
７０は音源部である。音源専用集積回路あるいはDSP（Digital Signal Processor）を用いる。７１はDSPである。音源部７０で生成された楽音信号は、DSP７１において、リバーブやエフェクタの効果を付加されて、サウンドシステム７２に供給され、増幅されて、スピーカに出力される。
７３は外部機器、７４は通信インタフェースである。外部機器７３は、例えば、MIDI鍵盤等の電子音楽装置、シーケンサ機能を有するパーソナルコンピュータ等である。
本装置にMIDIケーブル、RS232C、USB（Universal Serial Bus）、IEEE1394等で接続された外部機器７３は、本装置にMIDIメッセージ等の演奏情報を出力したり本装置から演奏情報を入力したりする。
【００４５】
CPU６２は、RAM６３をワークエリアとし、ROM６４に記憶された制御プログラムをRAM６３に読み出して、蓋開き状態検出スイッチ６５，操作子６６の操作イベント検出、表示部６９に対する表示制御等、電子楽器の一般的な制御を前提とし、RAM６３のカレントバッファに記憶された音色設定データ等の設定データに基づいた制御パラメータを、音源部７０，DSP７１に転送することにより、これらを制御するとともに、操作子（鍵盤）６６等から得られる演奏データに応じて、音源部７０及びDSP７１を制御し、サウンドシステム７２から楽音信号を音響出力させる機能を実現する。
CPU６２は、また、制御プログラムを実行することにより、図１に示した、任意楽器音色指定部１，特定楽器音色設定部２、楽器音色設定部３、特定楽器音色指定部４，蓋開き状態検出部５の機能を実現する。
【００４６】
上述したハードウエア構成において、ROM６４に制御プログラムが記憶されていない場合、これらを記憶した外部記憶装置（スマートメディア、USBメモリ、ハード磁気ディスク装置等）を備えたり、これらを記憶したCD-ROMを読み込む外部記憶装置を備えたりして、これらの装置からROM６４（フラッシュROM）に書き込んでもよい。
また、通信ネットワークを介してサーバコンピュータと接続し、制御プログラムや設定データ、設定パラメータ等をROM６４（フラッシュROM）に新規、又は、更新のためにダウンロードしてもよい。
【００４７】
図６は、図１に示した本発明の実施の一形態の動作を説明するためのフローチャートである。
図６（ａ）はメインのフローチャートであり、図６（ｂ）は割り込み処理のフローチャートである。
図６（ａ）は、この電子鍵盤楽器の電源プラグがコンセントに差し込まれた状態で、図２に示した鍵盤蓋１６を閉蓋状態から開くか楽器本体の目立たない場所に設けられた隠れ電源スイッチをオンとする、のいずれかによって起動する。
【００４８】
Ｓ８１においては、従来の電子鍵盤楽器と同様の電源投入時の初期設定をすればよい。例えば、ROM（フラッシュROM）６４等に保存されていたバックアップON/OFFデータが、ONであれば、同様に保存されていた、前回電源を切る前にバックアップされていた設定データ、OFFであれば工場出荷時の設定データをカレントバッファに書き込むとともに、設定データに対応した種々の設定パラメータを、それぞれに対応したブロックあるいはCPU６２により実現される機能実現手段に設定する。
【００４９】
以下の処理では、フラグPWを使用する。このフラグPWは、使用モードを表し、電源終了準備中又は電源終了処理中のときPW＝0とし、使用モード1（特定の楽器音色、例えば、自然鍵盤楽器の標準楽器音色）のときPW＝1とし、使用モード２（任意楽器音色）のときPW＝2とする。使用モード１は、自然鍵盤楽器の演奏に近づけることを意図した使用形態であり、使用モード２は、一般的な電子鍵盤楽器の使用形態である。
Ｓ８２において、蓋開き状態（蓋位置）を検出する。蓋位置が中間位置（図３では第１の状態）であったときは、Ｓ８３に処理を進める。
なお、鍵盤蓋１６を動かしている過程において、一時的に中間位置を通過した際に、直ちに使用モード1になってしまわないように、所定時間以上、中間位置にあることを条件とした方がよい。
Ｓ８３において、PW＝１でなければＳ８４に処理を進めてPW＝１にし、Ｓ８５において、カレントバッファに記憶された現在の楽器音色設定データを、グランドピアノを指定するデータ（第１の特定楽器音色指定データ）とし、Ｓ８６に処理を進める。既にPW＝１であれば直ちにＳ８６に処理を進める。
【００５０】
Ｓ８５においては、楽器音色設定データ以外の、カレントバッファに記憶された現在の設定データについても特定の指定データ、例えば、自然鍵盤楽器の演奏に近くなるような標準の指定データにする。例えば、音量設定データとして標準の音量値を指定するデータを設定し（本来は、マスタボリュームで調整されるが、マスタボリュームの位置に関係なく、標準の音量値に設定する）、自動機能設定データ（電子楽器用の自動機能、例えば、デュアル機能やスプリット機能等）としてオフを指定し、全てオフに設定する。
【００５１】
次に、Ｓ８６に処理を進め、特定の楽器音色を指定するための選択操作があったか否かを判定する。第２の特定の楽器音色指定データが選択されたときはＳ８７に処理を進め、現在の楽器音色設定データをチェンバロを指定するデータ（第２の特定楽器音色指定データ）とし、Ｓ８９に処理を進める。一方、第１の特定の楽器音色指定データが選択されたときはＳ８８に処理を進め、現在の楽器音色設定データをグランドピアノを指定するデータ（第１の特定楽器音色指定データ）とし、Ｓ８９に処理を進める。
いずれの選択操作もなければ、直ちにＳ８９に処理を進める。
Ｓ８９，Ｓ９０は、鍵盤演奏処理であって、Ｓ８９において、鍵盤操作子の操作状態に変化があったときは、Ｓ９０に処理を進めて、カレントバッファに記憶された現在の各種設定データに応じた楽音発生・消音処理等の鍵盤処理を行い、音源７０（図５）を制御し、Ｓ８２に処理を戻す。ペダル鍵盤やペダルを備えた電子楽器鍵盤であれば、これらの操作検出及び対応する処理も行う。
【００５２】
一方、Ｓ８２において、鍵盤蓋１６が全開位置（図３では第２の状態）であるとき、あるいは、閉位置（図２の状態）でも中間位置（図３では第１の状態）でもないときには、Ｓ９１に処理を進め、まだPW＝2でなければＳ９２に処理を進めてPW＝2としＳ９３に処理を進める。既にPW＝2であれば、直ちにＳ９３に処理を進める。
Ｓ９３において、使用モード２で使用する、鍵盤以外の操作子による操作イベントの有無を判定し、あればＳ９４に処理を進め、なければ既に説明したＳ８９に処理を進める。
【００５３】
Ｓ９４において、例えば、楽器音色指定操作子の操作イベントであれば、操作子に対応した楽器音色指定データを現在の楽器音色設定データとする。楽器音色に関連して低域通過フィルタの特性、イコライザの特性、リバーブの特性、エフェクトの特性なども設定する。
音量操作子の操作イベントであれば、その操作に応じた音量指定データを、音量設定データとする。その他の操作子の操作イベントであれば、その操作に応じた指定データを設定データとする。
その後は、既に説明したＳ８９，Ｓ９０の鍵盤演奏に処理を進める。
【００５４】
図２に示した鍵盤蓋１６を移動させて操作パネル部２１を開き（第２の状態）、使用モード２で鍵盤演奏をしているとき、上述したＳ９３，Ｓ９４において、楽器音色指定操作子２２１により楽器音色を変更できる。ここで、鍵盤蓋１６を移動させて図２に示される所定の状態（第１の状態）に移動したときは、Ｓ８２からＳ８３に処理が進み、使用モード１になる。
その結果、先に、使用モード２において、楽器音色が設定変更された場合でも、設定変更された楽器音色はリセットされて、特定の楽器音色に簡単に再設定される。
【００５５】
次に、先に説明したＳ８２において、蓋位置が蓋閉位置であるときには、Ｓ９５に処理を進める。これは、再び蓋が閉じられるときの処理である。
Ｓ９５において、PW＝0か否かを判定し、0でなければＳ９６に処理を進めてPW＝0とし、Ｓ９７において電源終了準備（電源供給を終了するための準備）をする。
Ｓ９７において、現在の設定状態を、Ｓ８１において行った電源投入時の初期設定状態に戻す。従って、電源オン中に、使用モード１において、操作されて変更された楽器音色設定データやその他の設定データを、電源投入時の初期設定状態に戻す。
ただし、バックアップONに設定されているとき、Ｓ９４で設定された設定データが、既にバックアップ処理されている第１の仕様の場合は、変更された楽器音色設定データやその他の設定データにより初期設定状態が既に変更されている。
Ｓ９８において、例えば３秒の所定時間が経過したか否かを判定し、まだであれば、Ｓ８２に処理を戻す。
【００５６】
上述したＳ９７，Ｓ９８の処理は、誤って鍵盤蓋１６を第１の位置にしてしまった結果、使用モード１になったとき、あるいは、使用モード2において、現在の設定データや設定パラメータを初期設定状態にリセットしたいときなどにおいて、ユーザが、短時間だけ蓋閉状態にするだけで、電源が切れることなく、簡単にリセットできるようにする処理である。
電源終了準備状態が、所定時間継続されたときには、Ｓ９９に処理を進め、電源終了処理を実行する。
なお、電源プラグがコンセントに差し込まれており、隠れ電源スイッチがオンになるか、鍵盤蓋１６を開く操作に連動した図示しない電源スイッチがオンになったとき、図示しない電源制御部が起動し、図５に示したハードウエア構成に電源を供給する。この電源制御部は、Ｓ９９において、ハードウエア構成への電源供給を断つ。
【００５７】
なお、使用モード２におけるＳ９４において設定変更された設定データのバックアップ保存処理を電源終了時においてする第２の仕様の場合は、上述したＳ９７において、カレントバッファに書き込まれた現在の設定状態を退避バッファに退避させておき、Ｓ９９において、退避させた設定データのうち、バックアップONに設定されたものを、バックアップ用のROM（フラッシュROM）６４等に書き込めばよい。
【００５８】
上述した説明では、特定の楽器音色の設定データについては、Ｓ８７においてチェンバロを選択してもバックアップ保存されず、電源の再投入時には、Ｓ８５においてグランドピアノに初期設定された。しかし、特定の楽器音色の設定データについても、バックアップONに設定されれば、バックアップされ、バックアップされたものが、次の電源の再投入時に特定の楽器音色として初期設定されるように処理を変更してもよい。
【００５９】
図６（ｂ）は、図６（ａ）のＳ９８における時間経過判定をするための処理の一例を示すフローチャートである。
このフローチャートは、所定の割り込み時間間隔で起動し、Ｓ１０１において、電源終了準備モード、すなわち、PW＝0であれば、Ｓ１０２に処理を進め、時間経過パラメータTを＋1して終了する。このTの値はＳ８１の初期設定時に0とされている。Ｓ９８においては、所定時間に対応したTの値と、図６（ｂ）の割り込み処理により増加する現在のTの値とを比較すればよい。
【００６０】
上述した説明では、特定楽器音色指定スイッチを用いた特定の楽器音色の設定は、使用モード１においてのみ実行できるようにした。
しかし、使用モード２においても、特定楽器音色指定スイッチを設けてこれを操作したり、既存の操作子を操作したりすることにより、予め特定の楽器音色を設定しておくことができるように処理を変更してもよい。電源オンのまま、使用モード２から次に使用モード１になったときに、この特定の楽器音色が設定されることになる。
また、使用モード２において、現在の楽器音色を直ちに特定の楽器音色にするには、特定の楽器音色に該当する楽器音色を指定する既存の楽器音色指定操作子を操作すればよい。これに加えて、使用モード２においても、特定楽器音色指定スイッチを操作すれば、直ちに、現在の楽器音色が特定の楽器音色になるように処理を変更してもよい。
【００６１】
図７は、図６に示した本願の実施の一形態の動作を、一部変更した例を示すフローチャートである。
すなわち、図６のＳ８２において、鍵盤蓋１６が中間位置にあるときの、使用モード１の処理の変更例である。
ユーザ登録が可能な電子鍵盤楽器において、ユーザ登録時（登録更新を含む）に、予め特定の楽器音色を登録設定しておき、登録設定されていた特定の楽器音色を特定の楽器音色として設定する。
【００６２】
Ｓ１１１において、既にPW＝1のときは直ちに図６のＳ８９に処理を進め、PW＝1になっていなければ、Ｓ１１２においてPW＝1とする。
Ｓ１１３において、ユーザ登録時（この処理ステップは図示を省略している）に、特定の楽器音色が指定（以後、「ユーザ指定」という）されていたか否かを判定する。
ユーザ指定がないときは、Ｓ１１４において、特定の楽器音色指定データをグランドピアノ指定データ（第１の特定楽器音色指定データ）とし、Ｓ１１６に処理を進める。
【００６３】
一方、Ｓ１１３において、ユーザ登録時にユーザ指定があれば、Ｓ１１５に処理を進め、指定されたユーザ名（例えば、図６のＳ８１において、ユーザを認識し、ユーザ名を指定する）に特定の楽器音色指定データとして登録されている楽器音色を特定楽器音色指定データとし、Ｓ１１６に処理を進める。
Ｓ１１６においては、上述したＳ１１４又はＳ１１５において設定された特定の楽器音色設定データを、現在の楽器音色設定データとする。また、標準の音量設定データを現在の音量設定データとし、現在の自動機能設定データを全てオフにする。
なお、電子鍵盤楽器を単独のユーザが使用する場合は、ユーザ登録をしても、ユーザ識別は省略してもよい。
【００６４】
この変更例によれば、特定楽器音色選択スイッチがない場合でも、特定の楽器音色が設定できる。
電子鍵盤楽器に複数のユーザを登録しておける場合は、Ｓ９４あるいはＳ９９において、ユーザ毎に各種の設定データをバックアップしておき、電源の再投入時に、図６のＳ８１において、電源オン操作をしたユーザを識別する処理を行い、電源を起動したユーザに登録されているバックアップデータを復元することにより、ユーザ毎に初期設定を行うことができる。
【００６５】
電源投入後にユーザが交代して、図６のＳ９４において、新しいユーザがユーザ登録した場合は、バックアップ処理において、現在の設定データを新しいユーザの設定データとしてバックアップする。
ユーザの識別は、ユーザIDを設定しておき、電源オン時に、Ｓ８１において、ユーザIDを入力させて、設定されたIDと照合すればよい。又は、楽器本体の特定の部分、例えば、隠れ電源スイッチ又はその近傍、鍵盤蓋垂下片２８の把持部２９又はその近傍に、指紋パターンや静脈パターンを照合する、識別装置を取り付けておき、登録済みの本人パターンと照合することにより、ユーザを識別できる。
【００６６】
上述した図６のＳ８３〜Ｓ８８の処理のように、特定の楽器音色を設定するスイッチを用いて特定の楽器音色を設定するモードを第１の特定楽器音色設定モードとし、上述した図７のＳ１１１〜Ｓ１１６の処理のように、ユーザ登録によって設定された特定の楽器音色を設定するモードを第２の特定楽器音色設定モードとし、図１に示した特定楽器音色設定部２は、特定楽器音色設定モード選択により、いずれか１つの特定楽器音色設定モードを予め設定しておいて、特定の楽器音色を設定するようにしてもよい。
また、いずれの特定楽器音色設定モードでも設定されるようにしてもよい。この場合、最後に行われた設定を有効とするか、いずれか一方の特定楽器音色設定モードによる設定を優先するようにすればよい。
【００６７】
図８は、本発明の他の実施の形態の構造を説明するための右側断面図である。
グランドピアノの構造を前提に、開閉蓋を設けたものであり、楽器本体の上部前方を示している。
楽器本体１２１は、左右の側板１２２の間に、棚板（底板）１２３、口棒１２４、上面板１２５が設けられたものである。上面板１２５の後方は、三角屋根蓋１２６で覆われている。棚板１２３の上には、ハンマー機構付きの鍵盤ユニット１２７が載置され、その上方を蓋を閉じた状態の鍵盤蓋主部１２８が覆う。鍵盤蓋主部１２８と鍵盤蓋垂下片１２９とにより鍵盤蓋が構成される。
【００６８】
鍵盤蓋１２８の前方に、鍵盤蓋垂下片１２４が図示しないヒンジ結合で取り付けられ、鍵盤蓋１２８の後方に、前板１３０の回動先端部１３０ａが、鍵盤蓋回動支点１３１を介して結合している。前板１３０は、さらに、前板回動支点１３２によって、側板１２２に固定された図示しない取付金具に結合され、側板１２２に対し回動自在に取付けられている。
１３３は、電子楽器用の操作パネル部であり、鍵盤ユニット１２７の鍵盤配列の後方側に配置されている。この操作パネル部には、設定操作子、表示パネル等の複数の電気部品１３４が配置されている。１３５はプリント基板である。Ｐは鍵盤蓋垂下片１２９と鍵盤蓋主部１２８とを蝶番で回動自在に接続した場合の回動支点部である。
【００６９】
図８（ａ）は、鍵盤蓋１２８を閉じた状態である。鍵盤蓋垂下片１２９を持ち上げて、鍵盤蓋１２８を、鍵盤蓋回動支点１３１を中心にして押し上げ、鍵盤蓋垂下片１２９、鍵盤蓋１２８、前板１３０を重ねると、図８（ｂ）に示したような、鍵盤蓋１２８の中間位置になる。前蓋１３０は図８（ａ）の時と同じ位置にある。
このとき、鍵盤ユニット１２７の鍵盤面が開放され、自然鍵盤楽器の外観を呈する。このときが、既に説明した第１の使用状態となり、特定の楽器音色にて演奏される使用状態である。
【００７０】
さらに、前板１３０を鍵盤蓋垂下片１２９、鍵盤蓋１２８、前板１３０とともに、前板回動支点１３２を中心に、後方に押すと、図８（ｃ）に示したような、鍵盤蓋１２８の全開位置になる。このとき、操作パネル部１３３も露出するようになる。この時が、既に説明した第２の使用状態となり、全ての音色が、操作パネル部１３３上の操作子によって選択可能となるから、任意の楽器音色で使用される状態となる。
【００７１】
図６，図７に示したフローチャートの動作は、この実施の形態においてもさせることができる。従って、図８（ｃ）の状態から、再び、図８（ｂ）の中間位置に戻したときは、図８（ｃ）において、ブラスやギター等の音色が設定されていたとしても、特定の楽器音色に再設定される。
また、一時的に図８（ａ）の蓋閉状態にしたときは、初期設定状態にリセットされる。
【００７２】
図２に示した実施の形態と同様に、特定楽器音色指定スイッチを設ける場合は、同様に、第１の使用状態において露出する部材に設ければよい。
操作パネル部１３３は適度な傾斜及び形状になっているので、重ねられた鍵盤蓋垂下片１２９、鍵盤蓋１２８、前板１３０が、図８（ｂ）の状態から、図８（ｃ）の状態に回動する間において、電機部品１３４にぶつからない。
この実施の形態においても、図２，図３に示した仕切り部２４とほぼ同様の仕切り部１３６を設け、この仕切り部１３６を押鍵案内の可視表示部にしてもよい。
【００７３】
鍵盤蓋１２８及び前板１３０を図８（ａ）〜図８（ｃ）の状態に安定的に保持するための係止機構は、例えば、鍵盤蓋回動支点１３１、前板回動支点１３２において、特定の回動角において、一方の突起部が他方の凹部にはまりこむような構造を設ければよい。
また、図８（ａ）において鍵盤蓋１２８が開いたこと、鍵盤蓋１２８が図８（ｂ），図８（ｃ）の位置になったことは、例えば、上述した係止機構にスイッチを併設すればよい。
図８（ａ）〜図８（ｃ）のいずれの状態でもない、過渡的な位置で使用することは想定していないが、鍵盤蓋１２８が開かれた後は、図８（ｂ）の状態でない限り、第２の使用モードを割り当てればよい。
【００７４】
図９は、本発明のさらに他の実施の形態を説明するための斜視図である。
この実施の形態において、開閉蓋１４３は、閉蓋時（図示の状態）に、鍵盤部１４１（白鍵，黒鍵の図示を省略した）の後方上面に位置する操作パネル部１４２を覆うものの、鍵盤部１４１は覆わない。
操作パネル部１４２には、任意の楽器音色を設定するための楽器音色指定操作子（図示を省略するが、例えば、図３の２２１と同様のスイッチ又はテンキースイッチ）及びその他の操作子（図３の２２と同様）、加えて、音量制御等のマスターボリューム等の操作子（図示せず）が配設されている。
【００７５】
この実施の形態では、開閉蓋１４３が閉じているときを使用モード１として、自然鍵盤楽器の外観を呈した状態で、ピアニストが外観上の違和感を抱かないようにして、自然鍵盤楽器の演奏と変わらない鍵盤演奏ができるようにしている。
すなわち、開閉蓋１４２の蓋閉時には、操作パネル部１４２はその前側面（図では、黒く塗りつぶして図示している）しか見えず、その上面にある各種の操作子が見えない。また、電源スイッチも見えないようにしている。
一方、開閉蓋１４２が開いているときを使用モード２として、操作パネル部１４２が見え、操作パネル部上１４２の各種の操作子を用いて設定ができ、従来の電子鍵盤楽器と同様な鍵盤演奏をする。
【００７６】
楽器本体１４０の下面には、３つの脚体１５１，１５２，１５３からなる支持体１５０が、各３カ所で接続固定される。後方中央の脚体１５３は、３つのペダル１５４を有し、このペダル１５４から鍵並び方向へ延設した安定支持部１５３ａ，１５３ｂを有している。
開閉蓋１４３及びその受け部には、図４に示した蓋開閉装置３６の蓋スライド機構を、そのサイズを変更して小規模にしたものを用いることができる。
【００７７】
この実施の形態におけるハードウエア構成は、図６と同様であるので説明を省略する。
図１０は、図９に示した実施の形態の動作を説明するためのフローチャートである。
図６に示したフローチャートを一部変更したものであるため、一部分のみを図示し、同様な処理については、図示を省略し、図６のフローチャートを流用して説明する。加えて、図１０中においても、図６と同様なステップには同じステップ番号を付している。
【００７８】
この実施の形態では、開閉蓋１４３が閉じているときを使用モード１とした鍵盤演奏ができるようにしている。
そのため、この電子鍵盤楽器の電源プラグをコンセントに差し込んだとき、又は、電源プラグをコンセントに差し込んだ後、隠れ電源スイッチ（機械的スイッチ）をオンにしたときに、制御プログラムが起動するようにすればよい。
Ｓ８１においては、電源投入時の初期設定をする。
Ｓ１６１においては、開閉蓋１４３が、閉位置（図９の状態）であるか、操作パネル部１４２が露出した全開位置であるかを検出する。全開に至るまでの過渡的な位置にあるときは、閉位置とみなしてもよいが、このステップＳ１６１の判定処理を繰り返して、閉位置又は全開位置のいずれかになるまで待ってもよい。
【００７９】
まず、蓋位置が閉位置であったときはＳ９５に処理を進め、電源終了準備中（PW＝0）か否かを判定し、電源終了準備中でなければＳ１６２に処理を進め、電源終了準備中であれば、図６のＳ９８に処理を進める。
Ｓ１６２においては、電源オフ操作があったか否かを判定する。ここで、電源オフ操作は、例えば、センサ・スイッチ１４４により実行される。センサ・スイッチ１４４に指を近づけるか触れるかにより、電源オフ操作があったとする。
【００８０】
電源オフ操作があれば、図６のＳ９６に処理を進め、PW＝0とし、以降、Ｓ９７〜Ｓ９９の電源終了処理を実行して電源がオフとなる。Ｓ９８において所定時間が経過していないときは、図１０のＳ１６１に処理を戻し、次は、Ｓ９５からＳ９８に処理を進める。
一方、電源オフ操作がなければ、図６に示したＳ８３に処理を進め、Ｓ８４〜Ｓ９０に示した使用モード１（自然鍵盤楽器音色）による演奏が可能となる。
また、Ｓ１６１において、蓋位置が全開位置にあれば、図６に示したＳ９１に処理を進め、Ｓ９１〜Ｓ９４、Ｓ８９，Ｓ９０に示した使用モード２（従来と同様の、電源起動時の初期設定楽器音色又は操作パネル部上の楽器音色指定操作子により設定変更された楽器音色）による鍵盤演奏が可能となる。
なお、開閉蓋１４３が全開状態では、隠れ電源スイッチがオフ操作されない限り、電源がオフにならないようにしている。そのため、ユーザが鍵盤演奏を終了した時には、ユーザが自然に開閉蓋１４３を蓋閉状態にすることを期待できる。その結果、再び電源をオンにしたときには、そのまま、使用モード１として鍵盤演奏が可能となる。
【００８１】
ここで、センサ・スイッチ１４４について説明を補足しておく。センサ・スイッチ１４４は、例えば、次のような非接触センサである。
図示のセンサ・スイッチ１４４の領域の内部に非接触センサ（例えば、静電容量変化検出型センサ）を配設し、この領域に指を接近させるか触れるかにより、電源をオフにする。センサ・スイッチ１４４としては、非接触センサの代わりに、目立たないように可撓性の表面材の内側に設けられた機械的接触スイッチであってもよい。
【００８２】
また、このセンサ・スイッチ１４４を操作することにより、この電子鍵盤楽器の電源プラグをコンセントに差し込んだ状態で、電源をオンにもできるようにしてもよい。
。その場合、例えば、非接触センサ（機械的接触スイッチ）を３個並べて配設しておく。少なくとも、その両端の２個の非接触センサ（機械的接触スイッチ）に２本の指をそれぞれ接近させるか触れることにより、電源をオフにする。一方、中央の非接触センサ（機械的接触スイッチ）のみに、１本の指を接近させるか触れることにより電源をオンにする。
このセンサ・スイッチ１４４の領域は、電子鍵盤楽器のメーカ名が表面に印刷されている部分とすれば、センサ・スイッチ１４４の位置及び個々の非接触センサ（機械的接触スイッチ）の位置がよくわかる。このセンサ・スイッチ１４４の領域の表面は、不透明または半透明とし、非接触センサ（機械的接触スイッチ）が外部から見えないか見えにくくなるようにしておけば、メーカ名の印刷がセンサ・スイッチ１４４のマーカとなる。
【００８３】
なお、電源プラグがコンセントに差し込まれている間、又は、電源プラグをコンセントに差し込んだ後、隠れ電源スイッチをオンにしたときに、図示しない電源制御部が起動し、図５に示したハードウエア構成に電源を供給する。この電源制御部は、図６のＳ９９において、ハードウエア構成への電源供給を断つ。
さらに、センサ・スイッチ１４４により、電源プラグをコンセントに差し込んだ状態で電源をオン／オフする場合は、電源プラグがコンセントに差し込まれている間は、電源制御部が起動しているようにし、常時、センサ・スイッチ１４４のオン／オフ操作を監視し、センサ・スイッチ１４４がオン操作されたときに、図５に示したハードウエア構成へ電源を供給すればよい。
【００８４】
先に説明した図７は、図６に示した処理の一部を変更したものであった。同様に、図１０においても、図７と同様に処理の一部を変更してもよい。
上述した説明において、鍵盤楽器本体部の構造として３つの具体例を示したが、これらの構造に限られるものではない。鍵盤楽器本体部の構造に応じて、開閉蓋の構造も種々変更される。
【図面の簡単な説明】
【００８５】
【図１】本発明の実施の一形態である電子鍵盤楽器の機能構成を説明するブロック図である。
【図２】本発明の実施の一形態の構造を説明するための右側断面図である。
【図３】図２に示した構造を部分的に拡大した右側断面図である。
【図４】図２に示した位置３７に設けた係止機構を説明する部分構造図である。
【図５】図１に示した本発明の実施の一形態の機能を実現するためのハードウエア構成例を示すブロック図である。
【図６】図１に示した本発明の実施の一形態の動作を説明するためのフローチャートである。
【図７】図６に示した本願の実施の一形態の動作を一部変更した例を示すフローチャートである。
【図８】本発明の他の実施の形態の構造を説明するための右側断面図である。
【図９】本発明のさらに他の実施の形態の構造を説明するための斜視図である。
【図１０】図９に示した実施の形態の動作を説明するためのフローチャートである。
【符号の説明】
【００８６】
１…任意楽器音色指定部、２…特定楽器音色設定部、３…楽器音色設定部、４…特定楽器音色指定部、５…蓋開き状態検出部、６…音源部、１１…楽器本体、Ｆ…前部、１６…鍵盤蓋（開閉蓋）、１９ａ…白鍵、１９ｂ…黒鍵、２０…鍵盤ユニット（鍵盤部）、２１…操作パネル部、２２１…１又は限られた複数の操作子、２４…仕切り部、２６…山板、２８…鍵盤蓋垂下片、３０…補助金具、３１…ブラケット、３２…回転軸、３３…ピニオン、３４…ラック、３５…ガイド溝、４１…発光ダイオード（可視表示手段）、Ｋ…係止機構（係止手段）、６５…蓋開き状態検出スイッチ部、６６…操作子、６９…表示部（可視表示手段）、７０…音源、１２１…楽器本体、１２７…鍵盤ユニット（鍵盤部）、１２８（鍵盤蓋主部），１２９（鍵盤蓋垂下片）…鍵盤蓋（開閉蓋）、１３３…操作パネル部、１３６…仕切り部、１４０…楽器本体、１４１…鍵盤部、１４２…操作パネル部、１４３…開閉蓋、
５，６５，６７，６２，６３、Ｓ８２，Ｓ１６１…蓋開き状態検出手段、
３，６２，６３，Ｓ８１，Ｓ８５，Ｓ８６，Ｓ８７，Ｓ８８，Ｓ９４，Ｓ９７，Ｓ１１６…楽器音色設定手段、
６２，６３，Ｓ８１，Ｓ８５，Ｓ９４，Ｓ９７，Ｓ１１６…楽器音色以外の設定手段、
６２，６３，Ｓ８５，Ｓ８６，Ｓ８７，Ｓ８８，Ｓ１１４，Ｓ１１５…特定楽器音色設定手段、
６２，６３…押鍵案内手段、
６２，６３…押鍵案内表示無効化手段
【図１】
0004595856.tif 000002
【図２】
0004595856.tif 000003
【図３】
0004595856.tif 000004
【図４】
0004595856.tif 000005
【図５】
0004595856.tif 000006
【図６】
0004595856.tif 000007
【図７】
0004595856.tif 000008
【図８】
0004595856.tif 000009
【図９】
0004595856.tif 000010
【図１０】
0004595856.tif 000011